(57)【要約】【課題】  安定した起立状態を維持でき、かつ、コンパクトに折り畳んで保管できるディスプレイ装置を提供する。【解決手段】  支持板３１０と脚板３２０，３３０との一部に折り線Ｌ２１を介して折り曲げ可能な係止板３７０を設け、係止板３７０の一部に各脚板３２０，３３０の一部を挟み込んで係止する係止溝３７１，３７２を設けて脚板３２０，３３０を固定する。【選択図】  図３
2005049623.tif 000002
【特許請求の範囲】
【請求項１】
人物像などの所定の表示要素が設けられた表示板と、上記表示板を設置面上に起立した状態で支持するためのスタンド部とを有するディスプレイ装置において、
上記スタンド部は、上記表示板の背面に沿って配置される支持板と、上記表示板の起立方向と平行な縦折り線を挟んで上記支持板の両端に一体的に延設される一対の脚板と、上記スタンド部の一部に切起し可能に形成され、上記表示板の起立方向に対して直交する横折り線を介して折り曲げ可能な係止板とを含み、上記各脚板は、上記各縦折り線を介して上記表示板から離反する方向に折り曲げられ、上記係止板には、上記横折り線を介して上記係止板を上記表示板から離反する方向に折り曲げた際に、上記折り曲げられた各脚板の一部を挟み込んで係止する係止溝が設けられていることを特徴とするディスプレイ装置。
【請求項２】
上記スタンド部には、上記スタンド部を上記起立方向に沿って上から上段部、中段部および下段部の順に区画する上記横折り線と平行な第１および第２折り畳み線がさらに設けられており、上記各折り畳み線を介して上記上段部と上記下段部は、上記中段部側に折り畳まれる請求項１に記載のディスプレイ装置。
【請求項３】
上記中段部には、上記中段部側に折り畳まれた上記上段部および下段部を一体的に梱包する梱包手段が設けられている請求項２に記載のディスプレイ装置。
【請求項４】
上記各折り畳み線は、上記支持板および上記各脚板に跨るように上記表示板の起立方向に対して直交する方向に沿って形成されている請求項２または３に記載のディスプレイ装置。
【請求項５】
上記表示板には、上記表示板を上記起立方向に沿って上から上段部、中段部および下段部の順に区画する上記横折り線と平行な第１および第２折り畳み線が設けられており、上記表示板は、上記各折り畳み線が、上記スタンド部の上記各折り畳み線と互いに平行になるように上記スタンド部に取り付けられている請求項２，３または４に記載のディスプレイ装置。
【請求項６】
上記表示板および上記スタンド部の各上段部には、上記表示板を上記スタンド部に固定するための第１固定手段が設けられている請求項２〜５のいずれか１項に記載のディスプレイ装置。
【請求項７】
上記表示板および上記スタンド部の各下段部には、上記表示板の下段部を上記スタンド部に固定するための第２固定手段が設けられている請求項２〜６のいずれか１項に記載のディスプレイ装置。
【請求項８】
上記各脚板は、上記上段部から下段部にかけて連続して設けられており、上記下段部に位置する部分が他の部分よりも長く延設されている請求項２〜７のいずれか１項に記載のディスプレイ装置。
【発明の詳細な説明】
【技術分野】
【０００１】
本発明は、例えば人物やキャラクターなど所定の表示要素が印刷された表示板を設置面に対して起立した状態で展示することができるディスプレイ装置に関し、さらに詳しく言えば、安定した起立状態を維持でき、また、コンパクトに折り畳んで保管することができるディスプレイ装置に関する。
【背景技術】
【０００２】
商品の説明やそのキャラクターなどが印刷された表示板を店頭に展示する、いわゆるＰＯＰ（Ｐｏｉｎｔ  Ｏｆ  Ｐｕｒｃｈａｓｅ）広告用のディスプレイ装置の１つに、スタンド式のディスプレイ装置がある。
【０００３】
このディスプレイ装置は、表示板の背面に設けられた折り畳み式のスタンド部を組み立てて、設置面上に縦置き設置することにより、表示板が起立した状態で展示できる。これによれば、このディスプレイ装置を商品と並べて配置することで、よりインパクトのある商品展開をすることができる。その一例として、例えば特許文献１がある。
【０００４】
この特許文献１は、スタンド部の表示板支持面側の接地角αよりも反支持面側の接地外角βを大きく取ったことにより、ディスプレイ装置全体の重心が中央になり、より安定した起立姿勢を維持できるようになっている。
【０００５】
しかしながら、このディスプレイ装置には、次のような課題が残されていた。すなわち、従来のディスプレイ装置は、表示板をスタンド部に固定するために専用の係止板を別部材として用意していたため、固定板の製造コストおよび組立コストが余分にかかる。
【０００６】
また、この種のディスプレイ装置は、固定板や梱包などの固定用として両面粘着テープを多用しており、両面粘着テープの材料コストおよびその加工コストがさらに加わる。
【０００７】
ところで、最近では、アニメのキャラクターなどをデザインした比較的小型のディスプレイ装置を雑誌などの付録として雑誌に梱包して一緒に販売するケースがある。この場合、従来のディスプレイ装置では、パーツが多い分、折り畳んだ際に嵩張りやすく、運送コストや一冊当たりの陳列スペースの増加など二次的なコスト負担も増えるおそれがある。
【０００８】
【特許文献１】特開２００１−２９０４２４
【発明の開示】
【発明が解決しようとする課題】
【０００９】
そこで、本発明は上述した課題を解決するためになされたものであって、その目的は、安定した起立状態を維持できるとともに、雑誌などの付録品としても使用できるほどコンパクトに折り畳んで保管することができるディスプレイ装置を提供することにある。
【課題を解決するための手段】
【００１０】
上述した課題を解決するため、本発明は以下に示すいくつかの特徴を備えている。まず、請求項１においては、人物像などの所定の表示要素が設けられた表示板と、上記表示板を設置面上に起立した状態で支持するためのスタンド部とを有するディスプレイ装置において、上記スタンド部は、上記表示板の背面に沿って配置される支持板と、上記表示板の起立方向と平行な縦折り線を挟んで上記支持板の両端に一体的に延設される一対の脚板と、上記スタンド部の一部に切起し可能に形成され、上記表示板の起立方向に対して直交する横折り線を介して折り曲げ可能な係止板とを含み、上記各脚板は、上記各縦折り線を介して上記表示板から離反する方向に折り曲げられ、上記係止板には、上記横折り線を介して上記係止板を上記表示板から離反する方向に折り曲げた際に、上記折り曲げられた各脚板の一部を挟み込んで係止する係止溝が設けられていることを特徴としている。
【００１１】
請求項２においては、上記スタンド部には、上記スタンド部を上記起立方向に沿って上から上段部、中段部および下段部の順に区画する上記横折り線と平行な第１および第２折り畳み線がさらに設けられており、上記各折り畳み線を介して上記上段部と上記下段部は、上記中段部側に折り畳まれることを特徴としている。
【００１２】
請求項３においては、上記中段部には、上記中段部側に折り畳まれた上記上段部および下段部を一体的に梱包する梱包手段が設けられていることを特徴としている。
【００１３】
請求項４においては、上記各折り畳み線は、上記支持板および上記各脚板に跨るように上記表示板の起立方向に対して直交する方向に沿って形成されていることを特徴としている。
【００１４】
請求項５においては、上記表示板には、上記表示板を上記起立方向に沿って上から上段部、中段部および下段部の順に区画する上記横折り線と平行な第１および第２折り畳み線が設けられており、上記表示板は、上記各折り畳み線が、上記スタンド部の上記各折り畳み線と互いに平行になるように上記スタンド部に取り付けられていることを特徴としている。
【００１５】
請求項６においては、上記表示板および上記スタンド部の各上段部には、上記表示板を上記スタンド部に固定するための第１固定手段が設けられていることを特徴としている。
【００１６】
請求項７においては、上記表示板および上記スタンド部の各下段部には、上記表示板の下段部を上記スタンド部に固定するための第２固定手段が設けられていることを特徴としている。
【００１７】
請求項８においては、上記各脚板は、上記上段部から下段部にかけて連続して設けられており、上記下段部に位置する部分が他の部分よりも長く延設されていることを特徴としている。
【発明の効果】
【００１８】
本発明による作用効果は以下のとおりである。請求項１に記載の発明においては、脚板を保持するための支持板をスタンド部に一体的に設けたことにより、安価に製造できるとともに、全体を折り畳んだときの嵩張りもなくなる。
【００１９】
請求項２に記載の発明によれば、各折り畳み線に沿ってスタンド部をコンパクトに折り畳むことができ、例えば本などの付録として梱包することができる。
【００２０】
請求項３に記載の発明によれば、折り畳まれたスタンド部を梱包手段によって一まとめにしておくことができるため、粘着テープなどの係止手段を要しない分、コストを安く抑えることができる。また、粘着テープを使わないので化粧面を傷つけるおそれもない。
【００２１】
請求項４に記載の発明によれば、スタンド部をシート状に展開することで、スタンド部を簡単に折り畳むことができる。
【００２２】
請求項５に記載の発明によれば、表示板にも折り畳み線が設けられているため、スタンド部と一体になった状態のままスタンド部を折り畳むことで、スタンド部と表示板とを一緒に折り畳むことができる。
【００２３】
請求項６に記載の発明によれば、スタンド部の上端と表示板の上部とが固定手段を介して固定されることにより、表示部の上段部が前方に倒れることなく確実に保持することができる。
【００２４】
請求項７に記載の発明によれば、例えば粘着テープなどの固定手段を用いずとも、表示板の下段部をスタンド部の下段部に確実に固定することができる。
【００２５】
請求項８に記載の発明によれば、下段部側の脚部が他の部分よりも大きく形成されていることにより、起立安定性がさらによくなる。
【発明を実施するための最良の形態】
【００２６】
次に、本発明の実施形態について図面を参照しながら説明する。図１には、本発明の一実施形態に係るディスプレイ装置のスタンド部と表示板の展開図が示されている。ここで、本発明において、「縦方向」とは、設置面に対してほぼ垂直な方向をいい、「横方向」とは設置面に対して水平な方向をいう。また、「表面」とは、表示板が設置される側の面をいい、「裏面」とは、反表示板側の面をいう。
【００２７】
このディスプレイ装置１００は、表面に人物やキャラクターなどの表示要素が描かれた表示板２００と、同表示板２００の裏面側に一体的に貼り付けられ、上記表示板２００を設置面上に起立した状態で固定するスタンド部３００とを備えている。表示板２００とスタンド部３００はともに１枚の紙製の板体からなるが、これ以外にプラスチック製であってもよく、その材質については特に限定されない。
【００２８】
図１に示すように、表示板２００はキャラクターなどの表示要素が印刷された表示板本体２１０を備え、同表示板本体２１０は、横方向と平行な第１および第２折り畳み線Ｌ１，Ｌ２を挟んで上から順に上段部２２０、中段部２３０および下段部２４０とに区画されている。
【００２９】
表示板本体２１０の上端側（上段部２２０側）には、折り線Ｌ３を介して折り畳み可能に延設された第１固定片２１１が設けられている。この第１固定片２１１は、表示板２００の上段部２２０をスタンド部３００に固定する第１固定手段の一方を担っている。
【００３０】
表示板本体２１０の下端側（下段部２４０側）には、折り線Ｌ４を介して折り畳み可能な第２固定片２１２が延設されている。この第２固定片２１２は、表示板２００の下段部２１０をスタンド部３００に固定するため第２固定手段の一方を担っている。
【００３１】
この実施形態において、表示板本体２１０は、上段部２２０および中段部２３０にキャラクターの肖像画がデザインされており、下段部２４０には、キャラクターに関する情報（例えばロゴや商品名など）が記載された広告面２４１が設けられており、この広告面２４１が折り線Ｌ５，Ｌ６によって立体的に持ち上げられるようになっている（図３参照）。
【００３２】
この実施形態において、表示板本体２１０の下段部２４０は広告面２４１とされているが、例えば上段部２２０から下段部２４０にかけて全てを肖像画や写真などで構成してもよい。
【００３３】
表示板本体２１０は、上端部２２０と下段部２４０とがそれぞれ各折り畳み線Ｌ１，Ｌ２を介して中段部２３０の表面側に折り畳み可能になっている。
【００３４】
図１に示すように、スタンド部３００は、表示板２００の背面側に沿って配置される支持板３１０と、同支持板３１０の高さ方向の両端に縦折り線Ｌ１０，Ｌ１１を介して折り畳み可能に延設された一対の脚板３２０，３３０とを備えており、この実施形態では、全体が表示板２００とほぼ同一の長さの長方形状に形成されている。
【００３５】
スタンド部３００は、縦折り線Ｌ１０，Ｌ１１に対して直交する第１および第２折り畳み線Ｌ１２，Ｌ１３を挟んで上から順に上段部３４０、中段部３５０および下段部３６０とにそれぞれ区画されている。上述した支持板３１０および各脚板３２０，３３０は、上段部３４０から下段部３６０にかけて連続して形成されている。
【００３６】
支持板３１０は、上段部３４０から下段部３６０にかけて矩形状に形成され、その中段部３５０には、表示板２００を固定するための両面粘着テープ３１１が一体的に設けられている。なお、両面粘着テープ３１１は、表示板２００側（より好ましくは中段部２３０）に設けられていてもよい。
【００３７】
支持板３１０の上端部には、脚板３２０，３３０との境界線上（すなわち縦折り線Ｌ１０，Ｌ１１上）に切欠部３１２，３１３がそれぞれ設けられている。この各切欠部３１２，３１３は、表示板本体２１０の上端側に形成された第１固定片２１１を係止する係止溝であり、第１固定手段の他方を担っている。
【００３８】
支持板３１０の下段部３６０には、切欠孔３１４が設けられている。切欠孔３１４は、上述した表示板本体２１０の下段部２４０の下端側に形成されている。第２固定片２１２を係止するための係止孔であり、第２固定手段の他方を担っている。
【００３９】
各脚板３２０，３３０も、支持板３１０と同様に上段部３４０から下段部３６０にかけて矩形状に形成されており、各縦折り線Ｌ１０，Ｌ１１に沿って表示板２００とは離反する方向（図１では、紙面手前側）に折り畳み可能である。
【００４０】
各脚板３２０，３３０の上段部３４０には、上段部３４０の支持板３１０と脚板３２０，３３０とを折り曲げ状態で固定するための第１保持手段が設けられている。この第１保持手段は、上段部３４０の脚板３２０の縦折り線Ｌ１０に対向する辺を折り線Ｌ１４として折り畳み可能に延設された第１保持板メンバー３４１と、脚板３３０の縦折り線Ｌ１１に対向する辺を折り線Ｌ１５として折り畳み可能に延設された第２保持板メンバー３４２とからなる。
【００４１】
第１保持板メンバー３４１は、上段部３４０の脚板３２０とほぼ同じ長さを有する四角形状であり、自由端側の中央には折り線Ｌ１６を介して折り畳み可能な係止片３４３が一体的に形成されている。
【００４２】
第２保持板メンバー３４２は、上段部３４０の脚板３３０とほぼ同じ長さを有する矩形状を有し、脚板３３０との境界線としての折り線Ｌ１５には、係止片３４３が挿入され係止される係止孔３４４が設けられている。
【００４３】
図２に示すように、各保持板メンバー３４１，３４２はそれぞれ折り線Ｌ１４，Ｌ１５に沿って折り畳まれ、第１保持板メンバー３４１を支持板３１０の裏面に対してほぼ平行に折り畳み、係止片３４３を第２保持板メンバー３４２の付け根部にある係止孔３４４に差し込むことで、図３に示すように、上段部３４０が断面台形の筒状に形成される。これによれば、上段部３４０が筒状に形成されることにより、支持板３１０と脚板３２０，３３０の剛性がアップする。
【００４４】
再び図１を参照して、各脚板３２０，３３０の中段部３５０には、中段部３５０の支持板３１０と脚板３２０，３３０とを折り曲げ状態で固定するための第２保持手段が設けられている。この第２保持手段は、中段部３５０の脚板３２０の縦折り線Ｌ１０に対向する辺を襠（マチ）を作る折り線Ｌ１７として折り畳み可能に延設された第３保持板メンバー３５１と、脚板３３０の縦折り線Ｌ１１に対向する辺を折り線Ｌ１８として折り畳み可能に延設された係止片３５２とからなる。
【００４５】
第３保持板メンバー３５１は、中段部３５０の脚板３２０とほぼ同じ長さの矩形状に形成され、折り線Ｌ１７に対向する辺には、折り線Ｌ１９を挟んで折り畳み可能な第４保持メンバー３５３が一体的に延設されている。第３保持板メンバー３５１と第４保持板メンバー３５３との間に位置する折り線Ｌ１９には、係止片３５２が挿入され係止される係止孔３５４が設けられている。
【００４６】
第４保持板メンバー３５３には、このディスプレイ装置１００を折り畳んだ際に全てを一まとめとして梱包する際に使用する差込孔３５５が設けられている。この差込孔３５５にも上記係止片３５２が挿入される。
【００４７】
係止片３５２は、脚板３３０の自由端側のほぼ中央に折り線Ｌ１８を介して一体的に延設されており、先端部がきのこ状に拡大されている。係止片３５２の先端部は、折り線Ｌ２０に沿って折り曲げ可能とされており、上述した梱包時に差込孔３５５に挿入されるが、このとき折り線Ｌ１８からＬ２０かけての残りの部分は、梱包時の板厚を吸収するための襠（マチ）部として機能する。
【００４８】
図２に示すように、この保持板メンバー３５１，３５３もそれぞれ折り線Ｌ１７，Ｌ１９に沿って折り畳まれ、最後に係止孔３５５と係止片３５２とが互いに係止されることにより、図３に示すように、中段部３５０が断面台形の筒状に形成され、中段部３５０が筒状に形成され、支持板３１０と脚板３２０，３３０の剛性がアップする。
【００４９】
再び図１に戻り、下段部３６０には、各脚板３２０，３３０の安定性をより向上させるための補助板３６１，３６２と、各脚板３２０，３３０を表示板３００から離反する方向に折り曲げた状態で係止するための係止手段としての係止板３７０とが設けられている。
【００５０】
補助板３６１，３６２は、縦折り線Ｌ１０，Ｌ１１を挟んで各脚板３２０，３３０に折り畳み可能に一体的に延設されている。各補助板３６１，３６２は、表示板２００を起立させたときに表示面が若干斜め（図５参照）になるように下辺３６３が、支持板３１０の下辺（水平）に対して斜めに傾斜した傾斜辺として設けられている。
【００５１】
この実施形態において、脚板３２０，３３０および補助板３６１，３６２の下辺の傾斜角θは５°であるが、より好ましい態様としては、傾斜角θは１〜１５°の範囲内であればよい。
【００５２】
係止板３７０は、脚板３２０，３３０の折り線Ｌ１０，Ｌ１１に沿って一部が切り欠かれた第１および第２切り溝３７３，３７４と、上記第１および第２切り溝３７３，３７４の上端同士を結ぶ第３切り溝３７５と、上記第１切り溝の下端から上記縦折り線Ｌ１０に至まで水平に切り込まれた第４切り溝３７６と、上記第２切り溝の下端から上記縦折り線Ｌ１１に至まで水平に切り込まれた第５切り溝３７６とによって囲まれた部分が、各折り畳み線Ｌ１，Ｌ２と平行な折り線Ｌ２１に沿って折り畳み可能に形成されている。
【００５３】
係止板３７０の上辺には、係止板３７０を折り線Ｌ２１に沿って支持板３１０から離反する方向に折り曲げた際に、第１および第２切り溝３７３，３７４によって切り抜かれた各脚板３２０，３３０（補助板３６１，３６２の前端）を挟み込んで係止する係止溝３７１，３７２が設けられている。
【００５４】
係止溝３７１，３７２は、係止板３７０の上端（図１参照）からほぼ垂直に切り欠かれたスリット溝であり、脚板３２０，３３０の一部を形成する補助板３６１，３６２の端部に沿って係止される位置に設けられている。なお、係止溝３７１，３７２は、垂直溝でなくてもよく、脚板３２０，３３０の形状に併せて変更することができる。
【００５５】
係止板３７０は、図２に示すように、折り線Ｌ２１に沿って支持板３１０から離反する方向に折り畳まれるが、このとき、係止板３７０に設けられた各係止溝３７１，３７２に補助板３６１，３６２の一部が噛み込まれて係止されることにより、各脚板３２０，３３０（補助板３６１，３６２）が、支持板３１０に対して起立した状態で固定される。
【００５６】
次に、図１〜図５を参照して、本発明のディスプレイ装置１００の組立手順の一例について説明する。組立手順を説明するに先立ち、スタンド部３００に対して表示板２００を取り付ける。
【００５７】
取付方法は至って簡単であり、まず、スタンド部３００の支持板３１０に取り付けられた両面粘着テープ３１１の図示しないセパレータを剥がし取り、この支持板３１０に対して表示板２００を各折り畳み線Ｌ１，Ｌ２が、支持板の各折り畳み線Ｌ１２，Ｌ１３に互いに重なり合うように重ね合わせた後、両方の中段部２３０，３５０同士を両面粘着テープ３１１を介して張り合わせる。なお、この張り合わせ作業は、通常出荷前に行われる。
【００５８】
組立方法は図２に示すように、まず支持板３１０を中心にして、両端の脚板３２０，３３０を縦折り線Ｌ１０，Ｌ１１に沿って、表示板２００とは離反する方向に折り曲げる。なお、あらかじめ各脚板３２０，３３０を一旦支持板３１０に沿って平行になる程度まで折り畳み、折り癖を付けておくことで、脚板３２０，３３０の起立姿勢がより安定する。
【００５９】
次に、係止板３７０を折り線Ｌ２１に沿って表示板２００とは離反する方向に折り曲げる。このときも同様に、係止板３７０を支持板３１０側にほぼ１８０°に折り曲げて折り癖を付けておくことが好ましい。
【００６０】
係止板３７０を折り畳み終えた後、再度、各脚板３２０，３３０を支持板３１０に対してほぼ９０°に直立する程度に折り曲げ、この各脚板３２０，３３０に対して係止板３７０を折り線Ｌ２１に沿って折り曲げるとともに、係止板３７０の各係止溝３７１，３７２に脚板３２０，３３０（補助板３６１，３６２）の一部を係止する。これにより、図３に示すように、各脚板３２０，３３０が係止板３７０によって起立状態を維持するように固定される。
【００６１】
次に、スタンド部３００の上段部３４０を組み立てる。まず、予め折り癖が付けられた脚板３２０側の第１保持板メンバー３４１を折り線Ｌ１４に沿って支持板３１０と平行になるように、支持板３１０の背面側に折り曲げる。
【００６２】
併せて、脚板３３０側の第２保持板メンバー３４２も折り線Ｌ１５に沿って支持板３１０と平行になるように、支持板３１０の背面側に折り曲げる。次に、折り線Ｌ１６に沿って第１保持板メンバー３４１の先端に設けられた係止片３４３を折り曲げた後、相手方の
係止孔３４４に挿入して係止する。これにより、上段部３４０の組立が完了する。
【００６３】
次に、中段部３５０を組み立てる。図２に示すように、中段部３５０も予め折り癖が付けられた第３保持板メンバー３５１を折り線Ｌ１７に沿って支持板３１０と平行になるように、支持板３１０の背面側に折り曲げる。併せて、第４保持板メンバー３５３を折り線Ｌ１９に沿って第３保持板メンバー３５１の内側に折り込むとともに、対向する係止片３５２の先端を係止孔３５４に挿入して係止する。これにより中段部３４０が組み立てられる。
【００６４】
以上により、スタンド部３００の組立が完了するが、最後にスタンド部３００に表示板２００を固定する。表示板２００を固定するにあたっては、図３に示すように、表示板２００の上端に設けられた第１固定片２１１をスタンド部３００の上段部３４０に形成された切欠部３１２，３１２に差し込むことにより、表示板２００の上段部２２０がスタンド部３００に固定される（図４参照）。
【００６５】
次に、表示板２００の下端に設けられた第２固定片２１２をスタンド部３００の下段部３６０に形成された固定孔３１４内に挿入することにより、表示板２００の下段部２４０がスタンド部３００に固定される（図４参照）。
【００６６】
これによれば、図５に示すように、スタンド部３００の前面側（図５では左面側）に表示板２００が起立した状態で保持される。このとき、表示板２００は、スタンド部３００の補助板３６１，３６２の下辺３６３に沿って設置面に対して若干傾斜した状態で起立することにより、全体の重心が中央に移動することで、安定姿勢で起立する。
【００６７】
次に、図６〜図９を参照して、本発明のディスプレイ装置１００の折り畳み手順（収納手順）について説明する。まず、上記組立手順とは、逆手順を遡って、ディスプレイ装置１００を図６に示すような展開状態とする。
【００６８】
展開状態とした後、まず、表示板２００の上段部２２０および下段部２４０をそれぞれ折り畳み線Ｌ１２，Ｌ１３に沿って中段部２３０の上に重なり合うように折り畳む。次に、図７に示すように、スタンド部３００の上段部３４０の脚板２２０，２３０の両端に形成された第１および第１保持板メンバー３４１，３４２を支持板３１０の上に重なるように折り畳む。
【００６９】
同様にして、下段部３６０の脚板２２０，２３０の両端に形成された各補助板３６１，３６２を支持板３１０の上に重なるように折り畳む。
【００７０】
次に、折り畳んだ上段部３４０および下段部３６０を折り畳み線Ｌ１２，Ｌ１３に沿って中段部３５０に重なり合うように折り畳んだ後、最後に、図８に示すように、中段部３５０の第３保持板メンバー３５１を支持板３１０側に折り畳むことにより、第３保持板メンバー３５１が先に折り畳まれた表示板２００と、上段部３４０、下段部３６０の上に被さるようになり、さらに、その固定孔３５５内に係止片３５２を差し込むことにより、図９に示すように、ディスプレイ装置１００はブック型に折り畳まれる。
【００７１】
通常、このディスプレイ装置１００は、折り畳まれた状態において雑誌などの付録として本などとともに一体に梱包されて出荷されるが、これ以外に展開した状態で出荷してもよいし、表示板２００とスタンド部３００とを分解して状態で使用者が自分で組み立てるようにしてもよい。
【図面の簡単な説明】
【００７２】
【図１】本発明の一実施形態に係るディスプレイ装置の表示板とスタンド部とを展開した状態の展開図。
【図２】上記実施形態のスタンド部の組立手順を説明するための背面斜視図。
【図３】上記実施形態の表示板とスタンド部の分解斜視図。
【図４】上記実施形態のディスプレイ装置の使用状態を示す斜視図。
【図５】上記実施形態のディスプレイ装置の使用状態を示す側面図。
【図６】上記実施形態のディスプレイ装置の折り畳み手順を説明する説明図。
【図７】上記実施形態のディスプレイ装置の折り畳み手順を説明する説明図。
【図８】上記実施形態のディスプレイ装置の折り畳み手順を説明する説明図。
【図９】上記実施形態のディスプレイ装置を折り畳んだ状態を示す斜視図。
【符号の説明】
【００７３】
１００  ディスプレイ装置
２００  表示板
２１０  表示板本体
２２０  上段部
２３０  中段部
２４０  下段部
３００  スタンド部
３１０  支持板
３２０，３３０  脚板
３４０  上段部
３５０  中段部
３６０  下段部
３７０  係止板
【図１】
2005049623.tif 000003
【図２】
2005049623.tif 000004
【図３】
2005049623.tif 000005
【図４】
2005049623.tif 000006
【図５】
2005049623.tif 000007
【図６】
2005049623.tif 000008
【図７】
2005049623.tif 000009
【図８】
2005049623.tif 000010
【図９】
2005049623.tif 000011